(57)【要約】【課題】  インクカートリッジの交換操作性と、記録紙の装填操作性の向上。【解決手段】  フラットベット読取ユニットを前後に移動させられる構成にすることにより、後ろに移動したときは、インクタンク交換性、前に移動させたときは記録紙の装填性を向上させるようにする。【選択図】  図１
2007028284.tif 000002
【特許請求の範囲】
【請求項１】
被記録媒体にインク滴を吐出することによって入力画像情報の記録を行う複数色に対応した複数の記録ヘッドと該記録ヘッドへインクを供給する複数のインクカートリッジとを載置して主走査方向に沿って往復移動するキャリッジと、前記キャリッジの支持および駆動する部材を保持するシャーシと、前記記録部にシートを給送する給送手段と、前記記録部の略上方に配置された被読取対象物から文字や画像を読み取る画像読取手段とを有する画像読取記録装置において、前記画像読取部が、前記記録部の記録紙搬送方向の上流側と下流側に移動させることができることを特徴とする画像読取記録装置。
【請求項２】
前記画像読取部と、操作部が一体となって、前記上流側と下流側に移動させることができることを特徴とする請求項1の画像読取記録装置。
【請求項３】
被記録媒体にインク滴を吐出することによって入力画像情報の記録を行う複数色に対応した複数の記録ヘッドと該記録ヘッドへインクを供給する複数のインクカートリッジとを載置して主走査方向に沿って往復移動するキャリッジと、前記キャリッジの支持および駆動する部材を保持するシャーシと、前記キャリッジのホームポジションを検知するセンサと前記記録部にシートを給送する給送手段と、前記記録部の略上方に配置された被読取対象物から文字や画像を読み取る画像読取手段とを有する画像読取記録装置において、前記画像読取部が前記記録部の記録紙搬送方向の上流側と下流側に移動させることができ、移動させたときの位置センサを設け、前記位置センサが移動させたことを検知した時に、前記キャリッジの前記ホームポジションから略中央に移動させることを特徴とする画像読取記録装置。
【請求項４】
前記画像読取部と、操作部が一体となって、前記上流側と下流側に移動させることができることを特徴とする請求項3の画像読取記録装置。
【発明の詳細な説明】
【技術分野】
【０００１】
本発明は、ファクシミリ、複写機、複合機などの画像読取記録装置に関するものである。
【背景技術】
【０００２】
従来、図6に示すような複合機では、読取ユニット501が固定式になっており、図14に示すように排紙トレイユニット503を開き、カートリッジドア504を開くと、カートリッジ503にアクセスできる。ブラックインクタンク505ａ、カラーインクタンク505ｂは、カートリッジ503に取り外し可能なように装着されており、前面から手をいれて交換できるようにしている。また、図17に示すように、本体の後ろ側に給紙トレイ507、給紙補助トレイ506があり、この部分に記録紙を装填できるようになっている。
【０００３】
又、従来例としては、例えば特許文献１と特許文献２をあげることが出来る。
【特許文献１】特開平5-63932号公報
【特許文献２】特開平5-63933号公報
【発明の開示】
【発明が解決しようとする課題】
【０００４】
しかしながら、従来の例では以下のような問題があった。
【０００５】
１．手前からインクタンクを交換する際に、読取部の影になるため、覗き込まなければならなかった。
【０００６】
２．記録紙の装填の際、読取部の影になるため、挿入部がわかりずらく、机の高さによっては、立ち上がってみなければできないことがあった。
【課題を解決するための手段】
【０００７】
以上の課題を解決するために、インクタンク交換の際は、読取ユニットを奥側に、記録紙装填の際は手前側に、スライドさせるように構成したものである。
【発明の効果】
【０００８】
このような構成をとることに、装置全体を小型化することができ、かつ、操作性をあげることができる。
【発明を実施するための最良の形態】
【０００９】
次に本発明に係る一実施形態である画像読取装置について説明する。
【００１０】
本実施形に係る画像読取記録装置を図に従って説明する。
【００１１】
図1は、本実施例の斜視図である。図2は、中央断面図である。図1および図2に示すように、パネル部1、画像読取部2、記録部3、電気基板部4、カードスロット部5により構成されている。
【００１２】
まず、パネル部1について説明する。
【００１３】
図3はパネル部の拡大斜視図、図4は部分断面図、図5はパネルユニットの裏面図である。
【００１４】
構造として、パネルカバー11にキー12がはまっておりパネル基板16がネジ止めされている。なお、キー12ｃ、キー12ｂ、キーａは、図示していない個所で一体的に構成されておいる。パネル基板上には、タクトスイッチ19がキー12の下に半田付けされている。また、パネル基板16上には、スペーサ15を介して、ＬＣＤ14が装着されている。このＬＣＤ14の上にはＬＣＤ窓13が取り付けてある。また、パネル基板の裏面には、電解コンデンサ17が半田付けされている。
【００１５】
次に、カードスロット部5について説明する。
【００１６】
図1に示すように、カードスロット部5はパネル部1の下に配置されており、図1に示すように、本体の正面に配置されている。図１８はパネル部1を取りはずした時の図である。カードスロット部5は、カード基板51、カードコネクタ部52、イジェクトボタン53で構成されている。本体上の挿入口54からＰＣカードが挿入できるようになっている。また、挿入されたＰＣカードはイジェクトボタン53を押すことにより、取り外しが出来る。このＰＣカードは、ＰＣＭＣＩＡの規格に準拠したカードのことであり、本実施例では、各種メモリーカードを各メモリーカードに対応したアダプタを介したものを示している。
【００１７】
カードスロット部5は、デジタルカメラの画像等をＰＣカードを通じて、本体に読み込ませ、それらを記録部から直接印刷させること、また、ＰＣと直接接続することによりメモリーカードをＰＣよりリード、ライトさせることができる。
【００１８】
次に画像読取部2の説明をする。
【００１９】
図7は、原稿をセットする際の本体図で、原稿を裏向きにセットするガラス23、突き当て基準白123がガラスの上面から貼り付けてある。突き当て基準白123は、原稿の端部の突き当て部となると同時にガラス23を通して裏側からの読取りの絶対白基準となる役割がある。ガラス23はカバー125により、上から押えられている。原稿の浮きを押える圧板21と、スポンジと白色シートで構成されている圧板白シート22がヒンジ124を介して取り付けられている。図8は図7からガラス23、カバー125を外した状態で、画像読取部2の内部構造がわかるようにしたものである。これらの内部部品はすべてスキャナフレーム120に取り付けられている。画像を読取るコンタクトセンサー(以下、ＣＩＳ)24を保持しているＣＩＳホルダー27が、軸25の上をガイドされて動くようになっている。また、ＣＩＳホルダー27はモータ28を動力として、駆動ギア部122で減速され、タイミングベルト26を介して駆動されている。タイミングベルト26は駆動ギア部122の対向部にプーリー29に掛けられている。これらの動作について説明すると、コピーやＰＣからのスキャン動作の時に、ＣＩＳ24とＣＩＳホルダー27が、矢印Ａの方向に駆動され、ガラス23を介して原稿を読取る。
【００２０】
次に、記録部3について説明する。
【００２１】
図2で示すように、矢印Ｂの方向に記録紙100ａは搬送される。トレイなどを開いた状態にした外観図が図9であり、図2と合わせて説明するとＡＳＦベース30と中板36にセットされた記録紙100ａの先端部は記録紙トレイ32と記録紙補助トレイ31により、保持されている。また、記録紙100ａは左右方向にスライド可能なスライダー33により、端部をガイドされており、斜行等を防止している。記録紙補助トレイ31は、ヒンジ部31ａを中心に矢印Ｃの方向に回転可能で記録紙トレイ32に収納できる。また、記録紙トレイ32は、ヒンジ部32ａを中心に矢印Ｄの方向に回転可能であり、本体に突き当たるまで回転することができる。図10が、図1の開いた状態の外観図、図11が閉じた状態の外観図である。なお、記録紙トレイ32の開閉は、図7の圧板21の開閉とは干渉しないようになっており、お互いどの角度の状態であっても、開閉可能となっている。このように記録紙トレイ32が折りたためることにより、通常使わない時は出っ張りがなくコンパクトにできるだけでなく、給紙部等に埃等が入るのも防止することができる。
【００２２】
図15は、読取パネルユニット200を手前にずらした図である。この読取パネルユニット200が、前にずれることにより、手前側から、記録紙100ａを挿入しやすくなる。
【００２３】
以上のように積載された記録紙100ａは、図示しないカムにより中板36が押し上げられ、給紙ローラ34と分離ローラ35により一枚に分離され給送される。この分離機構は、実際に駆動されるのは給紙ローラ34で、分離ローラ35は、回転方向に一定以上のトルクがかからないと回転しないようになっており、複数枚の紙がこのローラ間に入ったとき、紙を分離する力より、分離ローラを回転させる力の方が強いので、一枚ずつ記録紙を搬送することができる。これらのローラで分離された原稿は搬送ローラ37ａとピンチコロ37ｂとの間に搬送され、一定速度でインクジェット印字部に搬送される。図12は正面から、カートリッジドア133を開けた図である。また、図16は読取パネルユニット200を後ろ側にずらしたときの図であり、カートリッジドア133は省略してある。この状態では、カートリッジ39は、手前側から目視が容易になるため、交換等がやりやすくなる。手前に読取ユニット200をずらすことにより、位置センサ151が読取ユニット200のリブ152を検知し、カートリッジ39がホームポジション位置から、ガイドシャフト134上を移動し、図16の交換位置に移動させる。通常、カートリッジ39は、図示しないホームポジションセンサにより、印字を行っていないときは、ホームポジション位置にいる。インクジェット印字部にはプリントヘッドを一体的に構成しているカートリッジ39、カラーインクタンク38ａとブラックインクタンク38ｂが装着されている。カートリッジ39は、ガイドシャフト134にガイドされ記録紙の送り方向に対して垂直方向に動かすことにより、記録紙に印字する。印字をした記録紙は、排紙ローラ対130により、記録紙排紙トレイ131と、記録紙排紙補助トレイ132に排出される。なお、カートリッジドア133を図12の矢印Ｇの方向に開けることによって、通常、ユーザは外部から、インクタンク38を交換することが出来る。カートリッジドア133には、図13に示すような突起部133ａがあり、アクチエータ135を押し、制御基板41の裏に実装されているフォトインタラプタ42を遮ったりして、カートリッジドアの開閉を検知している。なお、このカートリッジドア133の開閉を検知することにより、通常、カートリッジ39のヘッド部が乾燥してしまうのを防止するために図示しない図12のホームポジションに退避しているが、カートリッジドア133が開いたことを検知すると図12の位置にカートリッジ39が、ユーザがインクタンク38を交換できる位置に移動する。この時、前記の位置センサ151のON/OFFは関係なしにカートリッジ39は、交換ポジションに移動する。これにより、読取ユニット200の位置に関わらず、カートリッジ39は交換することができる。記録紙排紙トレイ131および記録紙排紙補助トレイ132は、記録を行っていないときは、記録紙排紙補助トレイ132を矢印Ｅの方向にスライドさせ、記録紙排紙トレイ131の中に収納できる。さらに、記録紙排紙トレイ131は矢印Ｆの方向に閉じることができ、最終的には図1のような状態にすることができる。逆に、外から、インクカートリッジ38を交換するには、まず、図2の矢印Ｆと反対方向に記録紙排紙トレイを開き、図9のような状態にし、さらに、カートリッジドア133を図12の矢印Ｇ方向に開くことにより交換等のメンテナンスをおこなうことができる。このカートリッジドア133は、記録紙排紙トレイ131と違���、矢印Ｇの開く方向が横方向であるため、カートリッジ39の手前側に手を入れるスペースを広く出来るメリットがある。
【００２４】
尚、本実施例で使用しているインクジェット記録方式の中でも、インク吐出を行わせるために利用されるエネルギーとして熱エネルギーを発生する手段（例えば電気熱変換体やレーザ光等）を備え、前記熱エネルギーによりインクの状態変化を生起させる方式のプリント装置について説明したが、かかる方式によれば記録の高密度化、高精細化が達成できる。
【００２５】
その代表的な構成や原理については、例えば、米国特許第４７２３１２９号明細書、同第４７４０７９６号明細書に開示されている基本的な原理を用いて行うものが好ましい。この方式はいわゆるオンデマンド型、コンティニュアス型のいずれにも適用可能であるが、特に、オンデマンド型の場合には、液体（インク）が保持されているシートや液路に対応して配置されている電気熱変換体に、記録情報に対応していて膜沸騰を越える急速な温度上昇を与える少なくとも１つの駆動信号を印加することによって、電気熱変換体に熱エネルギーを発生せしめ、記録ヘッドの熱作用面に膜沸騰を生じさせて、結果的にこの駆動信号に１対１で対応した液体（インク）内の気泡を形成できるので有効である。この気泡の成長、収縮により吐出用開口を介して液体（インク）を吐出させて、少なくとも１つの滴を形成する。この駆動信号をパルス形状をすると、即時適切に気泡の成長収縮が行われるので、特に応答性に優れた液体（インク）の吐出が達成でき、より好ましい。
【００２６】
このパルス形状の駆動信号としては、米国特許第４４６３３５９号明細書、同第４３４５２６２号明細書に記載されているようなものが適している。なお、上記熱作用面の温度上昇率に関する発明の米国特許第４３１３１２４号明細書に記載されている条件を採用すると、さらに優れた記録を行うことができる。
【００２７】
記録ヘッドの構成としては、上述の各明細書に開示されているような吐出口、液路、電気熱変換体の組み合わせ構成（直線状液流路または直角液流路）の他に熱作用面が屈曲する領域に配置されている構成を開示する米国特許第４５５８３３３号明細書、米国特許第４４５９６００号明細書を用いた構成も本発明に含まれるものである。加えて、複数の電気熱変換体に対して、共通するスロットを電気熱変換体の吐出部とする構成を開示する特開昭５９−１２３６７０号公報や熱エネルギーの圧力波を吸収する開口を吐出部に対応させる構成を開示する特開昭５９−１３８４６１号公報に基づいた構成としても良い。
【００２８】
さらに、記録装置が記録できる最大記録媒体の幅に対応した長さを有するフルラインタイプの記録ヘッドとしては、上述した明細書に開示されているような複数記録ヘッドの組み合わせによってその長さを満たす構成や、一体的に形成された１個の記録ヘッドとしての構成のいずれでもよい。
【００２９】
加えて、装置本体に装着されることで、装置本体との電気的な接続や装置本体からのインクの供給が可能になる交換自在のチップタイプの記録ヘッド、あるいは記録ヘッド自体に一体的にインクタンクが設けられたカートリッジタイプの記録ヘッドを用いてもよい。
【００３０】
また、本発明の記録装置の構成として設けられる、記録ヘッドに対しての回復手段、予備的な補助手段等を付加することは本発明の効果を一層安定にできるので好ましいものである。これらを具体的に挙げれば、記録ヘッドに対してのキャッピング手段、クリーニング手段、加圧あるいは吸引手段、電気熱変換体あるいはこれとは別の加熱素子あるいはこれらの組み合わせによる予備加熱手段、記録とは別の吐出を行う予備吐出モードを行うことも安定した記録を行うために有効である。
【００３１】
さらに、記録装置の記録モードとしては黒色等の主流色のみの記録モードだけではなく、記録ヘッドを一体的に構成するか複数個の組み合わせによってでも良いが、異なる色の複色カラー、または混色によるフルカラーの少なくとも１つを備えた装置とすることもできる。
【００３２】
次に本画像読取記録装置のオペレーションの一例について説明する。図1のパネル部のキーを操作することにより、動作させる。たとえば、コピーを行うときの操作について説明する。電源キー12ｆを押す。次に、機能キー12ｃでコピーキーを選択する。メニューキーで、画質、記録させるメディアを選択、矢印キー12ａでコピー枚数を設定する。カラー選択キー12ｂでカラーコピーか、白黒コピーかを選択する。その後、圧板21を開けて、コピーしたい原稿をガラス23上にセットする。記録紙を記録紙トレイ32にセットし、最後にパネル部1のスタートキー12ｅを押すと、コピー出来る。このように、パネル部1のキーは、操作する順番に左から右に操作することにより、すべての操作が抜けなく、自然におこなうことが出来るように配置されている。操作方法の例として、コピーで説明したが、最初の機能キー12ｃで、スキャンを選択すると、ＵＳＢ43を通じて接続されているＰＣからのスキャンをさせることができる。また、写真を選択すると、前述のカードスロット部5に挿入されている画像を直接記録部3に記録させることができる。
【図面の簡単な説明】
【００３３】
【図１】本発明の実施例に係る画像読取記録装置の斜視図
【図２】本発明の実施例に係る画像読取記録装置の断面図
【図３】本発明の実施例に係る画像読取記録装置のパネル部の拡大図
【図４】本発明の実施例に係る画像読取記録装置のパネル部の断面図
【図５】本発明の実施例に係る画像読取記録装置のパネル部の裏面図
【図６】従来例に係る画像読取記録装置の斜視図
【図７】本発明の実施例に係る画像読取記録装置の圧板を開いた状態図
【図８】本発明の実施例に係る画像読取記録装置の画像読取部の構造図
【図９】本発明の実施例に係る画像読取記録装置のトレイを開いた状態の外観図
【図１０】本発明の実施例に係る画像読取記録装置のトレイを開いた状態の背面外観図
【図１１】本発明の実施例に係る画像読取記録装置のトレイを閉じた状態の背面外観図
【図１２】本発明の実施例に係る画像読取記録装置のカートリッジドア開いた状態の外観図
【図１３】本発明の実施例に係る画像読取記録装置のカートリッジドアのセンサ配置図
【図１４】従来例に係る画像読取記録装置のカートリッジドア開いた状態の外観図
【図１５】本発明の実施例に係る画像読取記録装置の読取パネルユニットを前方にずらした図
【図１６】本発明の実施例に係る画像読取記録装置の読取パネルユニットを後方にずらした図
【図１７】従来例に係る画像読取記録装置のトレイを開いた状態の背面外観図
【図１８】本発明の実施例に係る画像読取記録装置のパネル部を取りはずした時の図
【符号の説明】
【００３４】
１  パネル部
２  読取部
３  記録部
４  電気基板部
５  カードスロット部
２１  圧板
２３  ガラス
３１  記録紙トレイ
３２  記録紙補助トレイ
３８  インクタンク
３９  カートリッジ
４１  制御基板
４２  カートリッジドア用フォトインタラプタ
４３  ＵＳＢコネクタ
４４  中継基板
４５  電源
１００  記録紙
２００  ミドルフレーム
３００  ボトムケース
１３１  記録紙排紙トレイ
１３２  記録紙排紙補助トレイ
１３３  カートリッジドア
２００  読取パネルユニット
【図１】
2007028284.tif 000003
【図２】
2007028284.tif 000004
【図３】
2007028284.tif 000005
【図４】
2007028284.tif 000006
【図５】
2007028284.tif 000007
【図６】
2007028284.tif 000008
【図７】
2007028284.tif 000009
【図８】
2007028284.tif 000010
【図９】
2007028284.tif 000011
【図１０】
2007028284.tif 000012
【図１１】
2007028284.tif 000013
【図１２】
2007028284.tif 000014
【図１３】
2007028284.tif 000015
【図１４】
2007028284.tif 000016
【図１５】
2007028284.tif 000017
【図１６】
2007028284.tif 000018
【図１７】
2007028284.tif 000019
【図１８】
2007028284.tif 000020